(57)【特許請求の範囲】
【請求項１】
支持部材を介して棚板を壁面に取り付ける棚板の取付構造であって、
前記棚板は、後面が開放されたフラッシュ構造を有しており、
前記支持部材は、
壁面にビス止めされる取付ベースから複数の支持アームが前方側に張り出した支持金具と、
前記支持金具の支持アームに取り付けられた木製の棚受材と
を有し、
前記取付ベースが壁面にビス止めされた前記支持部材の前記支持アーム及び棚受材に前記棚板の空洞部を嵌挿した状態で、前記棚板が前記棚受材にビス止めされていることを特徴とする棚板の取付構造。
【請求項２】
前記支持アームの高さは、前記棚受材の高さより小さく設定されており、
前記支持アームが棚板に接触しないように、前記棚受材が前記支持アームに取り付けられている請求項１に記載の棚板の取付構造。
【請求項３】
前記取付ベースには、それぞれの前記支持アームの両側近傍に、壁面にビス止めするためのビス孔が形成されている請求項１または２に記載の棚板の取付構造。
【請求項４】
前記取付ベースにおける各支持アームの両側近傍に形成された前記ビス孔が壁を構成している柱または間柱に対応するように、隣り合う前記支持アームの間隔が設定されている請求項３に記載の棚板の取付構造。
【発明の詳細な説明】
【技術分野】
【０００１】
この発明は、棚板を壁面に取り付ける棚板の取付構造に関する。
【背景技術】
【０００２】
棚板を壁面に取り付ける棚板の取付構造としては、例えば、特許文献１に開示されている。この棚板の取付構造では、図１７〜図１９に示すように、壁面に取り付けた支持部材６０によって棚パネル本体５０を壁面に水平に支持するようになっており、支持部材６０によって支持された棚パネル本体５０を連結金具７０によって支持部材６０に連結することで、棚パネル本体５０が水平姿勢で壁面から前方に突出した状態で取付けられる。
【０００３】
前記棚パネル本体５０は、前端縁に沿って幅方向に延びる前枠部５１ａ、この前枠部５１ａの左右両側から後方に延びる左右一対の側枠部５１ｂ、５１ｂ及び側枠部５１ｂ、５１ｂ間において前枠部５１ａの後端から後方に延びる複数の中枠部５１ｃからなる芯材と、この芯材の上下面に貼着される上下の面板５２と、芯材５１の前側面及び左右側面に貼着される木口面板５３とで構成されたフラッシュ構造であり、側枠部５１ｂと中枠部５１ｃとの間及び中枠部５１ｃ、５１ｃ間に、後方側面に開口する空隙部がそれぞれ形成されている。
【０００４】
前記支持部材６０は、壁面に固定される金属製の取付けプレート６１と、この取付けプレート６１に突設され棚パネル本体５０の空隙部に後方から挿入して棚パネル本体５０を支持する金属製の支持アーム６２と、取付けプレート６１の両端部に連設された大径の頭部を有する一対の金属製の連結ピン６３とを備えており、取付けプレート６１は、棚パネル本体５０の後方側面の面内に収まる寸法を有している。
【０００５】
前記棚パネル本体５０の両側部には、支持部材６０の取付けプレート６１に連設された連結ピン６３が挿通される、側枠部５１ｂ、５１ｂの後端面から前方側に延びるピン挿通孔５４が形成されていると共に、棚パネル本体１の下面から上方側に延びてピン挿通孔５４の前端部に連通する縦穴５５が形成されており、ピン挿通孔５４に連結ピン６３を挿通した状態で、縦穴５５に連結具７０を嵌入することで、連結ピン６３の大径の頭部が連結具７０に係止され、棚パネル本体５０が支持部材６０に連結されるようになっている。
【先行技術文献】
【特許文献】
【０００６】
【特許文献１】特開２００９−１６９号公報
【発明の概要】
【発明が解決しようとする課題】
【０００７】
上述した棚板の取付構造では、壁に取付けた支持部材６０の支持アーム６２が棚パネル本体５０の空隙部内に挿入されて棚パネル本体５０を内部から支持するので、棚パネル本体５０を確実に支持することができると共に、取付けプレート６１を棚パネル本体５０の後方側面の面内に収めることができるので、支持部材６０が外部に露出することがなく、美感を損なうことがないという利点があるが、棚パネル本体５０の両側部に形成されたピン挿通孔５４に支持部材６０連結ピン６３を挿通した状態で、棚パネル本体５０の両側部に形成された縦穴５５に連結具７０を嵌入することで、棚パネル本体５０と支持部材６０とを連結するようになっているので、部屋の形状や使い勝手に応じて、現場で棚パネル本体５０を必要な長さに切断して壁面の入隅部等に取り付けることができず、施工の自由度に欠けるという欠点がある。
【０００８】
そこで、この発明の課題は、支持部材を露出させることなく、確実に壁面に取り付けることができるだけでなく、棚板を現場で必要な長さに切断して壁面の入隅部等に取り付けることができる施工の自由度の高い棚板の取付構造を提供することにある。
【課題を解決するための手段】
【０００９】
上記の課題を解決するため、請求項１に係る発明は、支持部材を介して棚板を壁面に取り付ける棚板の取付構造であって、前記棚板は、後面が開放されたフラッシュ構造を有しており、前記支持部材は、壁面にビス止めされる取付ベースから複数の支持アームが前方側に張り出した支持金具と、前記支持金具の支持アームに取り付けられた木製の棚受材と
を有し、前記取付ベースが壁面にビス止めされた前記支持部材の前記支持アーム及び棚受材に前記棚板の空洞部を嵌挿した状態で、前記棚板が前記棚受材にビス止めされていることを特徴とする棚板の取付構造を提供するものである。
【００１０】
また、請求項２に係る発明は、請求項１に係る発明の棚板の取付構造において、前記支持アームの高さは、前記棚受材の高さより小さく設定されており、前記支持アームが棚板に接触しないように、前記棚受材が前記支持アームに取り付けられていることを特徴としている。
【００１１】
また、請求項３に係る発明は、請求項１または２に係る発明の棚板の取付構造において、前記取付ベースには、それぞれの前記支持アームの両側近傍に、壁面にビス止めするためのビス孔が形成されていることを特徴としている。
【００１２】
また、請求項４に係る発明は、請求項３に係る発明の棚板の取付構造において、前記取付ベースにおける各支持アームの両側近傍に形成された前記ビス孔が壁を構成している柱または間柱に対応するように、隣り合う前記支持アームの間隔が設定されていることを特徴としている。
【発明の効果】
【００１３】
以上のように、請求項１に係る発明の棚板の取付構造では、壁面にビス止めされる取付ベースから複数の支持アームが前方側に張り出した支持金具と、この支持金具の支持アームに取り付けた木製の棚受材とによって支持部材を構成し、取付ベースが壁面にビス止めされた支持部材の支持アーム及び棚受材に、後面が開放されたフラッシュ構造を有する棚板の空洞部を嵌挿した状態で、棚板を木製の棚受材にビス止めすることで、棚板を壁面に取り付けるようにしたため、規定寸法の棚板を壁面に取り付けることができるだけでなく、例えば、規定寸法の棚板より短い棚板を壁面の入隅部に取り付けたい場合は、棚板を必要な長さに切断すると共に、棚受材に相当する木製部材を壁面に固定し、棚板の切断端を壁面に固定した木製部材に嵌め込んで木製部材にビス止めすればよく、施工の自由度が向上する。
【００１４】
また、請求項２に係る発明の棚板の取付構造では、金属製の支持アームの高さが木製の棚受材の高さより小さく設定されており、金属製の支持アームが棚板に接触しないように、木製の棚受材が支持アームに取り付けられているので、壁面に取り付けた棚板に衝撃を加えても、棚板と金属製の支持アームとが接触することによるばたつき音が発生することがなく、安定した棚板の取付状態を確保することができる。
【００１５】
また、請求項３に係る発明の棚板の取付構造では、支持金具の取付ベースには、それぞれの支持アームの両側近傍に、壁面にビス止めするためのビス孔が形成されているので、柱や間柱以外の横桟等にビス止めする場合の支持金具の取付強度が向上する。
【００１６】
また、請求項４に係る発明の棚板の取付構造では、取付ベースにおける各支持アームの近傍に形成されたビス孔が壁を構成している柱または間柱に対応するように、隣り合う支持アームの間隔が設定されているので、壁板を剥がして補強の横桟等を設けることなく、既設の壁における柱または間柱部分に支持金具をビス止めすることで、支持金具の十分な取付強度を確保することができる。
【図面の簡単な説明】
【００１７】
【図１】この発明に係る棚板の取付構造を採用して棚板を壁面に取り付けた状態を示す斜視図である。
【図２】同上の棚板の壁面への取り付け状態を示す分解斜視図である。
【図３】同上の棚板の壁面への取り付け状態を示す平面図である。
【図４】図３のＸ−Ｘ線に沿った断面図である。
【図５】同上の棚板を示す平面図である。
【図６】同上の棚板示す縦断面図である。
【図７】（ａ）は同上の棚板を壁面に取り付けるための支持部材を示す平面図、（ｂ）は同上の支持部材を示す正面図、（ｃ）は同上の支持部材を示す右側面図である。
【図８】（ａ）は同上の支持部材を構成している支持金具を示す平面図、（ｂ）は同上の支持金具を示す正面図、（ｃ）は同上の支持金具を示す右側面図である。
【図９】（ａ）は同上の支持部材を構成している棚受材を示す平面図、（ｂ）は同上の棚受材を示す側面図、（ｃ）は同上の棚受材を示す正面図である。
【図１０】（ａ）、（ｂ）は棚板の他の実施形態を示す平面図である。
【図１１】（ａ）は支持金具の他の実施形態を示す平面図、（ｂ）は同上の支持金具を示す正面図である。
【図１２】同上の支持金具に棚受材を取り付けた他の実施形態である支持部材を示す平面図である。
【図１３】（ａ）、（ｂ）は図１０（ａ）、（ｂ）に示す棚板を図１２に示す支持部材を用いて壁面に取り付けた状態を示す平面図である。
【図１４】棚板の壁面への取付方法を示す工程図である。
【図１５】規定寸法外の棚板の壁面への取付方法を示す工程図である。
【図１６】壁面に取り付けた棚板に収納ボックスを取り付けた状態を示す側面図である。
【図１７】従来の棚板の取付構造を採用して棚板を壁面に取り付けた状態を示す横断面図である。
【図１８】同上の棚板の壁面への取り付け状態を示す分解斜視図である。
【図１９】（ａ）は従来の棚板の取付構造における棚パネル本体と支持部材との連結方法を示す斜視図、（ｂ）は連結部分を示す部分断面図である。
【発明を実施するための形態】
【００１８】
以下、実施の形態について図面を参照して説明する。図１は、本発明の棚板の取付構造を採用して壁面ＷＳに棚板１０を取り付けた状態を示しており、棚板１０は、図２〜図４に示すように、支持部材２０を介して壁面ＷＳに取り付けられている。
【００１９】
前記棚板１０は、図５及び図６に示すように、厚さ５．５ｍｍの合板によって形成された基板１２の下面に単板積層材（ＬＶＬ）によって形成された芯材１３を接着固定してなる基材１１と、この基材１１の上下面、両側面及び前面に貼着された厚さ４ｍｍのＭＤＦからなる面材１４ｕ、１４ｄ、１４ｓ、１４ｆとを備えたフラッシュ構造を有しており、後面が開放されている。
【００２０】
前記芯材１３は、基板１２の前端縁に沿って配設された前板１３ａと、基板１２の両側縁に沿って配設された両側板１３ｂと、前記前板１３ａから後方側に所定間隔を開けて前板１３ａと平行に配設された中板１３ｃと、中板１３ｃの後面に当接する左右一対の側枠板とこの両側枠板の後端同士を接続する後枠板とからなる平面視コ字状の複数の中枠材１３ｄとから構成されており、中枠材１３ｄは、基板１２の長手方向に所定間隔を開けて配設され、後枠板は基板１２の後端縁よりも前側に位置している。
【００２１】
前記支持部材２０は、図７（ａ）〜（ｃ）に示すように、壁面にビス止めされる取付ベース２２及びこの取付ベース２２から前方側に張り出す複数の支持アーム２３からなる金属製の支持金具２１（図８（ａ）〜（ｃ）参照）と、この支持金具２１の各支持アーム２３にビス止めされる、縦断面長方形状の木製の棚受材２４（図９（ａ）〜（ｃ））とから構成されており、図３及び図４に示すように、棚受材２４がビス止めされた支持アーム２３が棚板１０の中枠材１３ｄ間に挿入されるようになっている。
【００２２】
前記取付ベース２２には、図８（ｂ）に示すように、壁面にビス止めするために、支持アーム２３の片側近傍に上下２個のビス孔２２ａが、隣り合う支持アーム２３、２３間の中間位置に上下２個のビス孔２２ｂが、各支持アーム２３を挟んで上位のビス孔２２ａの線対称位置に１個のビス孔２２ｃがそれぞれ形成されていると共に、支持アーム２３には、同図（ｃ）に示すように、棚受材２４をビス止めするための２個のビス孔２３ａが形成されており、図３に示すように、上下２個のビス孔２２ａ、２２ｂが壁を構成している柱Ｐや間柱ｐの芯に対応するように、隣り合う支持アーム２３の間隔が設定されている。
【００２３】
取付ベース２２のビス孔２２ａ、２２ｂが壁を構成している柱Ｐや間柱ｐに対応する位置に支持部材２０を取り付けることができる場合は、上下２個のビス孔２２ａ、２２ｂを使用して取付ベース２２を壁面にビス止めすればよいが、棚板１０の取付位置によっては、取付ベース２２の上下２個のビス孔２２ａ、２２ｂが柱Ｐや間柱ｐに対応する位置にこない場合があり、その場合は、柱Ｐと間柱ｐとの間や間柱ｐ、ｐ間に横桟を設け、その横桟に取付ベース２２をビス止めすることになるが、取付ベース２２を横桟にビス止めする場合は、支持金具２１の取付強度を確保するために、ビス孔２２ａ、２２ｂに加えてビス孔２２ｃも使用してビス止めする。
【００２４】
前記支持アーム２３の高さは、図７（ｂ）、（ｃ）に示すように、棚受材２４の高さより小さく設定されており、棚受材２４がビス止めされた支持アーム２３が棚板１０の中枠材１３ｄ間に挿入された状態で、金属製の支持アーム２３が棚板１０に接触しないように、即ち、棚受材２４の上面が支持アーム２３の上端より上側に位置し、棚受材２４の下面が支持アーム２３の下端より下側に位置するように、棚受材２４が支持アーム２３に取り付けられている。
【００２５】
前記支持アーム２３にビス止めされた棚受材２４が、棚板１０の中枠材１３ｄ間に挿入された状態では、棚受材２４の上面が棚板１０の基板１２の下面に、棚受材２４の下面が棚板１０の面材１４ｄの上面にそれぞれ接触しており、面材１４ｄが棚受材２４にビス止めされることで、棚板１０が支持部材２０に固定されるようになっている。
【００２６】
図５に示すロングタイプの棚板１０以外に、図１０（ａ）に示すミドルタイプの棚板１０ａ及び同図（ｂ）に示すショートタイプの棚板１０ｂが用意されており、取り付ける部屋の大きさや壁面の状況等に応じて、適宜選択することができるようになっている。
【００２７】
なお、図１０（ａ）、（ｂ）に示すミドルタイプの棚板１０ａやショートタイプの棚板１０ｂを使用する場合は、上述した３本の支持アーム２３を有する支持金具２１に代えて、図１１（ａ）、（ｂ）に示す２本の支持アーム２３を有する支持金具２１ａに棚受材２４を取り付けた図１２に示す支持部材２０ａを使用することになり、ミドルタイプの棚板１０ａの場合は支持部材２０ａを２組、ショートタイプの棚板１０ｂの場合は支持部材２０ａを１組使用して、図１３（ａ）、（ｂ）に示すように、壁面ＷＳに棚板１０ａ、１０ｂを取り付けることになる。
【００２８】
上述したロングタイプの棚板１０の壁面への取付方法を以下に説明する。まず。図１４（ａ）に示すように、棚板１０の取付位置における横方向の中心位置ｃｐと、支持金具２１の取付高さ位置（取付ベースの上端位置で、例えば、棚板１０の天面から１０ｍｍ下の位置）ｈｐを壁面ＷＳに墨出する。このとき、棚板１０の取付位置は、棚板１０の長手方向の中心位置が隣り合う柱芯と間柱芯の中間位置または隣り合う間柱芯間の中間位置にくるように設定することが望ましい。
【００２９】
次に、同図（ｂ）に示すように、壁面ＷＳに墨出しした中心位置ｃｐ及び取付高さ位置ｈｐにあわせて２組の支持金具２１を壁面ＷＳにビス止めする。このとき、尺モジュールの場合は、左側に取り付ける支持金具２１の最も右側に位置している上下２個のビス孔２２ａが中心位置ｃｐから左側に２２７．５ｍｍの位置に、右側に取り付ける支持金具２１の最も左側に位置している上下２個のビス孔２２ａが中心位置ｃｐから右側に２２７．５ｍｍの位置にそれぞれくるように位置合わせした状態で、ビス孔２２ａ、２２ｂ部分で壁面ＷＳにビス止めすると、図３に示すように、柱Ｐまたは間柱ｐ部分にビス止めされることになる。
【００３０】
続いて、図１４（ｃ）に示すように、支持金具２１の各支持アーム２３の所定位置に棚受材２４を両面テープで仮固定した後、ビス孔２３ａ部分で棚受材２４を支持アーム２３にビス止めする。
【００３１】
最後に、同図（ｄ）に示すように、支持アーム２３にビス止めされた棚受材２４を棚板１０における側板１３ｂと中枠材１３ｄとの間及び中枠材１３ｄ間の空洞部分に挿入するように棚板１０を支持部材２０に差し込み、棚板１０の長手方向の中心位置ＣＰと壁面ＷＳに墨出しした中心位置ｃｐとを位置合わせして棚板１０の後端を壁面ＷＳに当接させた状態で、棚板１０の下面側から棚受材２４にビス止めすると、棚板１０が支持部材２０に固定され、棚板１０の壁面ＷＳへの取り付けが完了する。なお、棚板１０が壁面ＷＳに取り付けられた状態では、図４に示すように、棚板１０と壁面ＷＳとのなす角度が８９度になるように設定されている。
【００３２】
また、例えば、ロングタイプの棚板１０よりは短いが、ミドルタイプの棚板１０ａよりも長い棚板を壁面の入隅部分に取り付けたい場合は、図１５（ａ）に示すように、ロングタイプの棚板１０を必要な長さに切断すると共に、切断端に位置している中枠材１３ｄの後枠板を一部切除し、これを棚板１０ｃとして使用する。
【００３３】
そして、入隅部を構成している一方の壁面ＷＳ１の所定位置に、同図（ｂ）に示すように、３本の支持アーム２３を有する支持金具２１と、２本の支持アーム２３を有する支持金具２１ａとをビス止めした後、それぞれの支持アーム２３に棚受材２４をビス止めすることで、支持部材２０、２０ａを形成すると共に、入隅部を構成している他方の壁面ＷＳ２の所定異位置に棚受材２４だけをビス止めし、支持アーム２３にビス止めされた棚受材２４及び壁面にビス止めされた棚受材２４を棚板１０ｃにおける側板１３ｂと中枠材１３ｄとの間及び中枠材１３ｄ間の空洞部分に挿入するように、棚板１０ｃを支持部材２０、２０ａに差し込んで棚板１０ｃの後端及び切断端を一方の壁面ＷＳ１及び他方の壁面ＷＳ２に当接させた状態で、棚板１０ｃの下面側から棚受材２４にビス止めすることで、同図（ｃ）に示すように、規定寸法以外の棚板１０ｃを入隅部の壁面ＷＳ１、ＷＳ２に取り付けることができる。
【００３４】
また、金属製の支持アーム２３の高さが木製の棚受材２４の高さより小さく設定されており、金属製の支持アーム２３が棚板１０〜１０ｃに接触しないように、木製の棚受材２４が支持アーム２３に取り付けられているので、壁面に取り付けた棚板に衝撃を加えても、棚板１０〜１０ｃと金属製の支持アーム２３とが接触することによるばたつき音が発生することがなく、安定した棚板の取付状態を確保することができる。
【００３５】
また、支持金具２１、２１ａの取付ベース２２に形成されたビス孔２２ａ、２２ｂが壁を構成している柱Ｐまたは間柱ｐに対応するように、隣り合う支持アーム２３の間隔が設定されているので、壁板を剥がして補強の横桟等を設けることなく、既設の壁における柱または間柱部分に支持金具２１、２１ａをビス止めすることで、支持金具２１、２１ａの十分な取付強度を確保することができる。
【００３６】
また、支持金具２１、２１ａの取付ベース２２には、それぞれの支持アーム２３の両側近傍に、壁面にビス止めするためのビス孔２２ａ、２２ｃが形成されているので、柱や間柱以外の横桟等にビス止めする場合は、ビス孔２２ａ、２２ｂに加えてビス孔２２ｃも使用してビス止めすることで、支持金具２１、２１ａの取付強度が向上する。
【００３７】
また、棚板１０〜１０ｃは、支持部材２０の棚受材２４に支持される上板部分が、厚さ５．５ｍｍの合板からなる基板１２と厚さ４ｍｍのＭＤＦからなる面材１４ｕとによって形成されており、厚さ４ｍｍのＭＤＦからなる面材１４ｄのみによって形成されている下面板に比べて板厚が大きくなっているので、棚板上面の撓みや波打ちを抑制することができる。
【００３８】
また、上述したように、棚板を壁面に取り付けた状態では、棚板と壁面とのなす角度が８９度になるように支持部材２０、２０ａが設計されており、棚板が前上がりの状態で取り付けられるので、棚板の前垂れを防止することができる。
【００３９】
なお、上述した実施形態では、棚板のみを壁面に取り付ける場合について説明したが、例えば、図１６に示すように、壁面ＷＳに取り付けた棚板１０の下面に収納ボックス３０を取り付けることも可能である。ただし、上述したように、棚板１０が前上がりの状態で壁面ＷＳに取り付けられているので、棚板１０に取り付ける収納ボックス３０は、その後面と壁面ＷＳとの間に形成される隙間を目立ちにくくするために、例えば、後面の下半部を意識的に前方側に窪ませる形状にしておくことが望ましく、収納ボックスの天面を棚板と同様に前上がりの状態にしておいてもよい。
【産業上の利用可能性】
【００４０】
本発明は、棚板を壁面に取り付ける場合に利用することができる。
【符号の説明】
【００４１】
１０、１０ａ、１０ｂ、１０ｃ  棚板
１１  基材
１２  基板
１３  芯材
１３ａ  前板
１３ｂ  側板
１３ｃ  中板
１３ｄ  中枠材
１４ｕ、１４ｄ、１４ｓ、１４ｆ  面材
２０、２０ａ  支持部材
２１、２１ａ  支持金具
２２  取付ベース
２２ａ、２２ｂ、２２ｃ  ビス孔
２３  支持アーム
２３ａ  ビス孔
２４  棚受材
３０  収納ボックス
ｃｐ、ＣＰ  中心位置
ｈｐ  取付高さ位置
Ｐ  柱
ｐ  間柱
ＷＳ、ＷＳ１、ＷＳ２  壁面
【図１】
0006679420.tif 000002
【図２】
0006679420.tif 000003
【図３】
0006679420.tif 000004
【図４】
0006679420.tif 000005
【図５】
0006679420.tif 000006
【図６】
0006679420.tif 000007
【図７】
0006679420.tif 000008
【図８】
0006679420.tif 000009
【図９】
0006679420.tif 000010
【図１０】
0006679420.tif 000011
【図１１】
0006679420.tif 000012
【図１２】
0006679420.tif 000013
【図１３】
0006679420.tif 000014
【図１４】
0006679420.tif 000015
【図１５】
0006679420.tif 000016
【図１６】
0006679420.tif 000017
【図１７】
0006679420.tif 000018
【図１８】
0006679420.tif 000019
【図１９】
0006679420.tif 000020